(57)【要約】【課題】本発明は、組立て工数、及び部品の種類が少ない簡素な構成からなるシリンドリカルレンズの保持機構、及びそのレンズ保持構造を有する走査光学装置を提供することを目的とする。【解決手段】シリンドリカルレンズ４を覆う様に保持部材５０を設置する。この際、保持部材５０の加圧片２０、２１、２２によりシリンドリカルレンズ４が加圧される。又、保持部材５０が設置されると、保持部材５０の前板部１８が位置決め部材２６の後板用部材２９と接触し、前板部１８に形成された開口部２３が後板用部材２９に形成された爪部３０に引っ掛かる。これにより、位置決め部材２６に対して保持部材５０が固定されるとともに、シリンドリカルレンズ４の保持、固定が行われる。【選択図】    図９
2004157344.tif 000002
【特許請求の範囲】
【請求項１】
シリンドリカルレンズの位置決めを行うための位置決め部材と、前記位置決め部材により位置決めされた前記シリンドリカルレンズを押圧保持する保持部材とからなるシリンドリカルレンズの保持構造であって、
前記位置決め部材には爪部が設けられており、前記保持部材に形成された開口部が前記爪部と掛合することにより、前記位置決め部材により位置決めされた前記シリンドリカルレンズが押圧保持されることを特徴とするシリンドリカルレンズの保持構造。
【請求項２】
前記開口部は前記保持部材の前板部に形成されており、かつ、前記位置決め部材は、前記シリンドリカルレンズの後面と当接する後板用部材を有しており、前記爪部は前記後板用部材の後面に突出して形成されていることを特徴とする請求項１に記載のシリンドリカルレンズの保持機構。
【請求項３】
レーザー光を発光する光源と、前記光源から発せられた光を集光するシリンドリカルレンズと、一定の角速度で回転し、前記シリンドリカルレンズにより集光された光を放射状に反射する回転多面鏡を有するとともに、前記シリンドリカルレンズの位置決めを行うための位置決め部材と、前記位置決め部材により位置決めされた前記シリンドリカルレンズを押圧保持する保持部材からなるシリンドリカルレンズの保持構造を有する走査光学装置において、
前記位置決め部材には爪部が設けられており、前記保持部材に形成された開口部が前記爪部と掛合することにより、前記位置決め部材により位置決めされた前記シリンドリカルレンズが押圧保持されることを特徴とするシリンドリカルレンズの保持構造を有する走査光学装置。
【請求項４】
前記開口部は前記保持部材の前板部に形成されており、かつ、前記位置決め部材は、前記シリンドリカルレンズの後面と当接する後板用部材を有しており、前記爪部は前記後板用部材の後面に突出して形成されていることを特徴とする請求項３に記載のシリンドリカルレンズの保持機構を有する走査光学装置。
【請求項５】
シリンドリカルレンズの位置決めを行うための位置決め部材と、前記位置決め部材により位置決めされた前記シリンドリカルレンズを押圧保持する保持部材とからなるシリンドリカルレンズの保持構造であって、
前記位置決め部材には固定用バネ支持部が設けられており、前記保持部材に形成された固定用バネ部が前記固定用バネ支持部と当接することにより、前記位置決め部材により位置決めされた前記シリンドリカルレンズが押圧保持されることを特徴とするシリンドリカルレンズの保持構造。
【請求項６】
前記固定用バネ部は前記保持部材の上板部の後方に突出して形成されており、かつ、前記固定用バネ支持部は、前記位置決め部材の側面から内側に突出して形成されていることを特徴とする請求項５に記載のシリンドリカルレンズの保持機構。
【請求項７】
レーザー光を発光する光源と、前記光源から発せられた光を集光するシリンドリカルレンズと、一定の角速度で回転し、前記シリンドリカルレンズにより集光された光を放射状に反射する回転多面鏡を有するとともに、前記シリンドリカルレンズの位置決めを行うための位置決め部材と、前記位置決め部材により位置決めされた前記シリンドリカルレンズを押圧保持する保持部材からなるシリンドリカルレンズの保持構造を有する走査光学装置において、
前記位置決め部材には固定用バネ支持部が設けられており、前記保持部材に形成された固定用バネ部が前記固定用バネ支持部と当接することにより、前記位置決め部材により位置決めされた前記シリンドリカルレンズが押圧保持されることを特徴とするシリンドリカルレンズの保持構造を有する走査光学装置。
【請求項８】
前記固定用バネ部は前記保持部材の上板部の後方に突出して形成されており、かつ、前記固定用バネ支持部は、前記位置決め部材の側面から内側に突出して形成されていることを特徴とする請求項７に記載のシリンドリカルレンズの保持機構を有する走査光学装置。
【発明の詳細な説明】
【０００１】
【発明の属する技術分野】
本発明は、レーザビームプリンタやレーザファクシミリ等で使用するシリンドリカルレンズの保持機構、及びそのレンズ保持構造を有する走査光学装置に関する。
【０００２】
【従来の技術】
近年、レーザビームを光源として用いたレーザービームプリンタやレーザファクシミリ等の走査光学装置が開発されており、複数のレーザビームを用いて複数のラインを同時に書き込むマルチビーム型の走査光学装置も開発されている。特に、半導体レーザは、ＯＮ／ＯＦＦ制御が簡単であり、かつ小型であるという利点があるため、当該半導体レーザを光源として用いた走査光学装置の開発が頻繁に行われている。この様な走査光学装置においては、光源であるレーザビームから発生する光束を、ポリゴンミラー等の偏向手段により偏向し、感光体上に走査することにより静電潜像を形成している。
【０００３】
又、この様な走査光学装置においては、シリンドリカルレンズを用いてレーザビームから発せられた光束を線状に集光し、その後、ポリゴンミラー等の偏向手段に入射させることが一般的に行われている。
【０００４】
このシリンドリカルレンズは、上述のごとく、レーザビームから発せられた光束を線状に集光するものであるため、光学箱（又は、筐体）内において光軸方向の位置決めを行い、所定の位置に保持する必要があり、一般に、光学箱内に設けられた支持具上にシリンドリカルレンズを当接させて位置決めを行い、その後、ばね性を有する爪部が設けられた保持用のバネ板等の保持部材によって、位置決めされたシリンドリカルレンズを押圧保持する構造が採用されている（例えば、特許文献１参照）。
【０００５】
【特許文献１】
特開平１１−１５３７６６号公報（第２−３頁、第１−２図、第４−５図）
【０００６】
【発明が解決しようとする課題】
ここで、一般に、シリンドリカルレンズの光軸がレーザビームの主走査方向と副走査方向からなる２方向の基準面と一致する様にシリンドリカルレンズを保持、固定する必要があるが、上記従来のシリンドリカルレンズの保持構造では、保持部材によるシリンドリカルレンズの上面への押圧を確実にするために、保持部材を支持具上にビス止めする必要がある。従って、組立て工数、及び部品の種類が増加し、これらの部品の管理が煩雑になる等の不都合が生じていた。
【０００７】
本発明は、上記問題点を解決し、組立て工数、及び部品の種類が少ない簡素な構成からなるシリンドリカルレンズの保持機構、及びそのレンズ保持構造を有する走査光学装置を提供することを目的とする。
【０００８】
【課題を解決するための手段】
上記目的を達成するために、本発明は、シリンドリカルレンズの位置決めを行うための位置決め部材と、位置決め部材により位置決めされたシリンドリカルレンズを押圧保持する保持部材とからなるシリンドリカルレンズの保持構造であって、位置決め部材には爪部が設けられており、保持部材に形成された開口部が爪部と掛合することにより、位置決め部材により位置決めされたシリンドリカルレンズが押圧保持されることを特徴とする。
【０００９】
この構成によると、シリンドリカルレンズを保持、固定する際に、保持部材にに形成された開口部が位置決め部材に設けられた爪部と掛合するため、保持部材を位置決め部材にビス止めしなくても、保持部材によりシリンドリカルレンズを確実に押圧保持することができるとともに、組立て工数、及び部品の種類を削減でき、これらの部品の管理が煩雑になる等の不都合を回避することができる。
【００１０】
尚、本発明においては、開口部は保持部材の前板部に形成されており、かつ、位置決め部材は、シリンドリカルレンズの後面と当接する後板用部材を有しており、爪部は後板用部材の後面に突出して形成されている構成とすることができる。
【００１１】
又、本発明においては、レーザー光を発光する光源と、光源から発せられた光を集光するシリンドリカルレンズと、一定の角速度で回転し、シリンドリカルレンズにより集光された光を放射状に反射する回転多面鏡を有するとともに、シリンドリカルレンズの位置決めを行うための位置決め部材と、位置決め部材により位置決めされたシリンドリカルレンズを押圧保持する保持部材からなるシリンドリカルレンズの保持構造を有する走査光学装置において、位置決め部材には爪部が設けられており、保持部材に形成された開口部が爪部と掛合することにより、位置決め部材により位置決めされたシリンドリカルレンズが押圧保持される構成とすることができる。
【００１２】
更に、本発明においては、上記走査光学装置において、開口部は保持部材の前板部に形成されており、かつ、シリンドリカルレンズの後面と当接する後板用部材を有しており、爪部は後板用部材の後面に突出して形成されている構成とすることができる。
【００１３】
又、本発明においては、シリンドリカルレンズの位置決めを行うための位置決め部材と、位置決め部材により位置決めされたシリンドリカルレンズを押圧保持する保持部材とからなるシリンドリカルレンズの保持構造であって、位置決め部材には固定用バネ支持部が設けられており、保持部材に形成された固定用バネ部が固定用バネ支持部と当接することにより、位置決め部材により位置決めされたシリンドリカルレンズが押圧保持されることを特徴とする。
【００１４】
この構成によると、シリンドリカルレンズを保持、固定する際に、保持部材に形成された固定用バネ部が位置決め部材に設けられた固定用バネ支持部と当接し、固定用バネ部の有するバネ性により、位置決め部材に対して保持部材が固定されるため、保持部材を位置決め部材にビス止めしなくても、保持部材によりシリンドリカルレンズを確実に押圧保持することができるとともに、組立て工数、及び部品の種類を削減でき、これらの部品の管理が煩雑になる等の不都合を回避することができる。
【００１５】
尚、本発明においては、固定用バネ部は保持部材の上板部の後方に突出して形成されており、かつ、固定用バネ支持部は、位置決め部材の側面から内側に突出して形成されている構成とすることができる。
【００１６】
又、本発明においては、レーザー光を発光する光源と、光源から発せられた光を集光するシリンドリカルレンズと、一定の角速度で回転し、シリンドリカルレンズにより集光された光を放射状に反射する回転多面鏡を有するとともに、シリンドリカルレンズの位置決めを行うための位置決め部材と、位置決め部材により位置決めされたシリンドリカルレンズを押圧保持する保持部材からなるシリンドリカルレンズの保持構造を有する走査光学装置において、位置決め部材には固定用バネ支持部が設けられており、保持部材に形成された固定用バネ部が固定用バネ支持部と当接することにより、位置決め部材により位置決めされたシリンドリカルレンズが押圧保持される構成とすることができる。
【００１７】
更に、本発明においては、固定用バネ部は保持部材の上板部の後方に突出して形成されており、かつ、固定用バネ支持部は、位置決め部材の側面から内側に突出して形成されている構成とすることができる。
【００１８】
【発明の実施の形態】
以下、図面を参照して、本発明の実施形態を詳細に説明する。図１は、本発明の実施形態に係るシリンドリカルレンズの保持構造を有する走査光学装置の全体構成を示す概略図である。図１に示された走査光学装置は、マルチビーム型の走査光学装置であり、これは、マルチビーム光源ユニット１の光源であるマルチビーム半導体レーザ２から２本の光ビームであるレーザビームＢ１、Ｂ２を発生させ、それぞれコリメータレンズ３によって平行化した上で、シリンドリカルレンズ４により集光させ、その後、回転多面鏡５の反射面６に入射させ、回転多面鏡５の回転による主走査によりそれぞれ主走査方向に走査され、回転多面鏡５とともに走査結像手段を構成する結像レンズ７を経て、回転ドラム８の回転による副走査により回転ドラム８上の結像面である感光体に結像させ、感光体に静電潜像を形成するものである。
【００１９】
ここで、マルチビーム光源ユニット１の光源であるマルチビーム半導体レーザ２から発生した２本のレーザビームＢ１、Ｂ２は、コリメータレンズ３により平行光束とされる。これは、マルチビーム半導体レーザ２は広がり角を有しているため、レーザビームＢ１、Ｂ２を平行光にする必要があるからである。
【００２０】
コリメータレンズ３により平行光束とされたレーザビームＢ１、Ｂ２は、シリンドリカルレンズ４により、回転多面鏡５の反射面６に線状に集光される。これは、回転多面鏡５の面倒れによって、感光体に結像する点像に歪が発生するのを防止するためである。
【００２１】
回転多面鏡５は、多面体（一般には５〜１０角程度）のミラーであり、中心軸に取り付けられた回転モータ（図示せず）により一定の角速度で高速回転を行う。シリンドリカルレンズ４により集光されたレーザビームＢ１、Ｂ２は、回転多面鏡５により角度を変えて放射状に反射され、回転ドラム８の軸方向（主走査方向）に当該レーザ光を走査することが可能となる。
【００２２】
結像レンズ７は、球面レンズ部とトーリックレンズ部からなり、シリンドリカルレンズ４と同様に感光体上の点像の歪を防ぐ機能を有するとともに、前記点像が感光体上で主走査方向に等速度で走査されるように補正する機能を有する。この様な補正を必要とするのは、回転多面鏡５から回転ドラム８までの距離は、回転ドラム８の端部と中央部では異なるため、一定速度で回転する回転多面鏡５に一定間隔でＯＮ／ＯＦＦを繰り返すレーザ光を照射しても、回転ドラム８上での走査速度は一定にならないため、回転多面鏡５により広がったレーザ光の反射角度を絞り込んで偏向し、回転ドラム８上に等間隔にレーザ光を投光する必要があるからである。
【００２３】
２本のレーザビームＢ１、Ｂ２は、それぞれ、主走査面の末端で検出ミラー９によって分離され、主走査面の反対側の光センサ１０に導入され、図示しないコントローラにおいて書き込み開始信号に変換されてマルチビーム半導体レーザ２に送信される。マルチビーム半導体レーザ２は書き込み開始信号を受けて両レーザビームＢ１、Ｂ２の書き込み変調を開始する。この様に、両レーザビームＢ１、Ｂ２の書き込み変調のタイミングを調節することで、回転ドラム８上の感光体に形成される静電潜像の書き込み開始（書き出し）位置を制御する。
【００２４】
マルチビーム半導体レーザ２は、前述のように複数のレーザビームＢ１、Ｂ２を同時に発光するもので、レーザホルダ１１を介してコリメータレンズ３を内蔵する鏡筒１２と一体的に結合されたユニットとして、レーザ駆動回路基板１３とともに光学箱１４の開口部１５を介して側壁１６に組み付けられる。
【００２５】
又、シリンドリカルレンズ４、回転多面鏡５、結像レンズ７等の各光学部品は、筐体である光学箱１４の底壁１７に組み付けられる。各光学部品を光学箱１４に組み付けた上で、光学箱１４の上部開口を蓋部材（図示せず）によって閉塞する。
【００２６】
次に、図面を参照して、本発明の実施形態に係るシリンドリカルレンズの保持構造について説明する。図２〜図５は、本発明の実施形態に係るシリンドリカルレンズの保持構造における保持部材の概略構成を示すための図であり、図２は保持部材の上面図、図３は保持部材の後面図、図４は保持部材の前面図、図５は保持部材の側面図である。
【００２７】
保持部材５０は、ステンレススチールの板金を所定の形状に切り抜いたものであり、図２、図５に示す様に、前板部１８、底板部１９、及び加圧片２０、２１、２２から構成されている。前板部１８のほぼ中央には、図３、図４に示す様に、レーザビームＢ１、Ｂ２を通過させるための開口部２３が形成されている。又、図５に示す様に、加圧片２０、２１、２２は、前板部１８の前方に突出する様に形成されており、加圧片２０は、その断面形状が略コ字状に折り曲がっており、加圧片２１、２２は、その断面形状が略く字状に折れ曲がっている。これらの加圧片２０、２１、２２は、シリンドリカルレンズを押圧保持し、固定する役割を果たすものであり、各々、ばね性を有している。
【００２８】
図６〜図７は、本発明の実施形態に係るシリンドリカルレンズの保持構造における位置決め部材の概略構成を示すための図であり、図６は、本発明の実施形態に係る位置決め部材を概略的に表した前方斜視図であり、図７は、本発明の実施形態に係る位置決め部材を概略的に表した後方斜視図である。
【００２９】
図６、図７に示す様に、位置決め部材２６は、所定の距離を置いて立設された２つの側板用部材３１と、これらの側板用部材３１を連結する前板用部材３２と、側板用部材３１に連結された後板用部材２９と、前板用部材３２の後面３５側に突出した突起部２７、２８とから構成されている。この後板用部材２９は、シリンドリカルレンズ４の突き当て用部材としての役割を果たすものであり、シリンドリカルレンズ４の位置決め作用も兼用している。又、図７に示す様に、爪部３０が後板用部材２９の後面３４側に突出して形成されている。
【００３０】
図８、図９は、本発明の実施形態に係るシリンドリカルレンズの保持構造を、組立後の状態として表したものであり、図８は、本発明の実施形態に係るシリンドリカルレンズの保持構造を、組立後の状態として概略的に表した前方斜視図であり、図９は、本発明の実施形態に係るシリンドリカルレンズの保持構造を、組立後の状態として概略的に表した後方斜視図である。
【００３１】
本実施形態においては、まず、シリンドリカルレンズ４を、位置決め部材２６の突起部２７、２８と、後板用部材２９の間に囲まれた空間に挿入し、設置する。この際、位置決め部材２６に形成された後板用部材２９がシリンドリカルレンズ４の後面３６と当接することにより、シリンドリカルレンズ４の位置決めが行われる。
【００３２】
次に、位置決め部材２６により位置決めされたシリンドリカルレンズ４を覆う様に保持部材５０を設置する。この際、保持部材５０の加圧片２０によりシリンドリカルレンズ４の上面部２４が加圧されるとともに、加圧片２１、２２によりシリンドリカルレンズ４の前面部２５が加圧され、シリンドリカルレンズ４は押圧保持される。尚、突起部２７、２８は、シリンドリカルレンズ４を保持部材５０で保持する際に、当該シリンドリカルレンズ４が前方（即ち、前板用部材３２の方向）に倒れるのを防止する役割を果たすものである。
【００３３】
ここで、本実施形態においては、保持部材５０が設置されると、図９に示す様に、保持部材５０の底板部１９が位置決め部材２６の２つの側板用部材３１の間に設置されるとともに、保持部材５０の前板部１８が位置決め部材２６の後板用部材２９と接触し、前板部１８に形成された開口部２３が後板用部材２９に形成された爪部３０に引っ掛かる。これにより、位置決め部材２６に対して保持部材５０が固定されるとともに、シリンドリカルレンズ４の押圧保持、固定が行われる。
【００３４】
尚、保持部材５０により押圧保持され、位置決め部材２６に固定されたシリンドリカルレンズ４の高さの調整は、位置決め部材２６ごと、筐体である光学箱１４の底壁１７にビス止めされることにより行われる。
【００３５】
以上より、本実施形態においては、シリンドリカルレンズを保持、固定する際に、保持部材５０の前板部１８が位置決め部材２６の後板用部材２９と接触し、前板部１８に形成された開口部２３が後板用部材２９に形成された爪部３０に引っ掛かる構成としているため、保持部材５０を位置決め部材２６にビス止めしなくても、保持部材５０の加圧片２０によりシリンドリカルレンズ４の上面部２４を確実に加圧することができるとともに、加圧片２１、２２によりシリンドリカルレンズ４の前面部２５が加圧される際の反力を確実に抑制することができる。更に、組立て工数、及び部品の種類を削減できるとともに、これらの部品の管理が煩雑になる等の不都合を回避することができる。
【００３６】
次に、図面を参照して、本発明の他の実施形態を詳細に説明する。尚、図１に示した本発明の実施形態に係るシリンドリカルレンズの保持構造を有する走査光学装置の全体構成は、本発明の他の実施形態についても同様のものであるため、ここでは説明を省略する。図１０〜図１３は、本発明の他の実施形態に係るシリンドリカルレンズの保持構造における保持部材の概略構成を示すための図であり、図１０は保持部材の上面図、図１１は保持部材の後面図、図１２は保持部材の前面図、図１３は保持部材の側面図である。
【００３７】
保持部材１００は、ステンレススチールの板金を所定の形状に切り抜いたものであり、図１０、図１３に示す様に、上板部６１、加圧片６２、６３、及び、固定用バネ部６４、６５から構成されている。又、図１２、図１３に示す様に、加圧片６２、６３は、上板部６１の前方に突出する様に形成されており、加圧片６２、６３は、その断面形状が略く字状に折れ曲がっている。これらの加圧片６２、６３は、シリンドリカルレンズを押圧保持し、固定する役割を果たすものであり、各々、ばね性を有している。又、図１１、図１３に示す様に、固定用バネ部６４、６５は、上板部６１の後方に突出する様に形成されており、加圧片６２、６３と同様に、その断面形状が略く字状に折れ曲がっている。これらの固定用バネ部６４、６５は、後述の位置決め部材６６に対して保持部材１００を固定する役割を果たすものであり、各々、ばね性を有している。
【００３８】
図１４〜図１５は、本発明の他の実施形態に係るシリンドリカルレンズの保持構造における位置決め部材の概略構成を示すための図であり、図１４は、本発明の他の実施形態に係る位置決め部材を概略的に表した前方斜視図であり、図１５は、本発明の他の実施形態に係る位置決め部材を概略的に表した後方斜視図である。
【００３９】
図１４、図１５に示す様に、位置決め部材６６は、所定の距離を置いて立設された２つの側板用部材６７と、これらの側板用部材６７を連結する前板用部材６８と、側板用部材６７と前板用部材６８に連結された底板用部材６９と、底板用部材６９上に設けられ、前板用部材６８の後面７０側に突出した突起部７１、７２と、側板用部材６７の側面から内側に突出して形成された固定用バネ支持部７３、７４とから構成されている。これらの突起部７１、７２は、シリンドリカルレンズ４の突き当て用部材としての役割を果たすものであり、シリンドリカルレンズ４の位置決め作用も兼用している。
【００４０】
図１６、図１７は、本発明の他の実施形態に係るシリンドリカルレンズの保持構造を、組立後の状態として表したものであり、図１６は、本発明の他の実施形態に係るシリンドリカルレンズの保持構造を、組立後の状態として概略的に表した前方斜視図であり、図１７は、本発明の他の実施形態に係るシリンドリカルレンズの保持構造を、組立後の状態として概略的に表した後方斜視図である。
【００４１】
本実施形態においては、まず、シリンドリカルレンズ４を、シリンドリカルレンズ４の前面２５が位置決め部材６６の突起部７１、７２と当接する様に、底板用部材６９上に設置し、シリンドリカルレンズ４の位置決めを行う。
【００４２】
次に、位置決め部材６６により位置決めされたシリンドリカルレンズ４を覆う様に保持部材１００を設置する。この際、保持部材１００の上板部６１によりシリンドリカルレンズ４の上面部２４が加圧されるとともに、加圧片６２、６３によりシリンドリカルレンズ４の前面部２５が加圧される。
【００４３】
ここで、本実施形態においては、保持部材１００が設置されると、図１７に示す様に、保持部材１００の固定用バネ部６４、６５が位置決め部材６６の固定用バネ支持部７３、７４と当接し、固定用バネ部６４、６５の有するバネ性により、位置決め部材６６に対して保持部材１００が固定される。これにより、シリンドリカルレンズ４の押圧保持、固定が行われる。
【００４４】
以上より、本実施形態においては、シリンドリカルレンズを保持、固定する際に、保持部材１００の固定用バネ部６４、６５が位置決め部材６６の固定用バネ支持部７３、７４と接触し、固定用バネ部６４、６５の有するバネ性により、位置決め部材６６に対して保持部材１００が固定される構成としているため、保持部材１００を位置決め部材６６にビス止めしなくても、保持部材１００の上板部６１によりシリンドリカルレンズ４の上面部２４を確実に加圧することができるとともに、加圧片６２、６３によりシリンドリカルレンズ４の前面部２５が加圧される際の反力を確実に抑制することができる。更に、組立て工数、及び部品の種類を削減できるとともに、これらの部品の管理が煩雑になる等の不都合を回避することができる。
【００４５】
尚、本発明は、上記実施形態に限定されるものではなく、本発明の趣旨に基づいて各部の構造、形状等を適宜変更することが可能であり、それらを本発明の範囲から除外するものではない。
【００４６】
例えば、上記実施形態では、位置決め部材の後板用部材に爪部を設ける構成としたが、保持部材の前板部に突起部を設ける構成としても良い。
【００４７】
又、上記実施形態においては、保持部材に加圧片を２個、ないしは３個設けた構成としたが、シリンドリカルレンズの保持、固定に適した態様であれば、加圧片を更に設けた構成としても良い。
【００４８】
又、上記実施形態においては、保持部材に固定用バネ部を２個設け、位置決め部材に固定用バネ支持部を２個設けた構成としたが、シリンドリカルレンズの保持、固定に適した態様であれば、固定用バネ部と位置決め部材を更に設けた構成としても良い。又、位置決め部材に固定用バネ部を設け、保持部材に固定用バネ支持部を設けた構成としても良い。
【００４９】
更に、上記実施形態においては、シリンドリカルレンズの保持構造を有する走査光学装置としてマルチビーム型の走査光学装置を用いて説明したが、単数のレーザビームを用いてラインを書き込む走査光学装置にも適用できることは言うまでもない。
【００５０】
【発明の効果】
以上、説明した様に、本発明に係るレンズ保持構造及びそのレンズ保持構造を有する走査光学装置においては、ビス止めをしなくても、保持部材を確実に保持、固定することができるため、組立て工数、及び部品の種類を削減できるとともに、これらの部品の管理が煩雑になる等の不都合を回避することができる。
【図面の簡単な説明】
【図１】は、本発明の実施形態に係るシリンドリカルレンズの保持構造を有する走査光学装置の全体構成を示す概略図である。
【図２】は、本発明の実施形態に係るシリンドリカルレンズの保持構造における保持部材の概略構成を示すための上面図である。
【図３】は、本発明の実施形態に係るシリンドリカルレンズの保持構造における保持部材の概略構成を示すための後面図である。
【図４】は、本発明の実施形態に係るシリンドリカルレンズの保持構造における保持部材の概略構成を示すための前面図である。
【図５】は、本発明の実施形態に係るシリンドリカルレンズの保持構造における保持部材の概略構成を示すための側面図である。
【図６】は、本発明の実施形態に係る位置決め部材を概略的に表した前方斜視図である。
【図７】は、本発明の実施形態に位置決め部材を概略的に表した後方斜視図である。
【図８】は、本発明の実施形態に係るシリンドリカルレンズの保持構造を、組立後の状態として概略的に表した前方斜視図である。
【図９】は、本発明の実施形態に係るシリンドリカルレンズの保持構造を、組立後の状態として概略的に表した後方斜視図である。
【図１０】は、本発明の他の実施形態に係るシリンドリカルレンズの保持構造における保持部材の概略構成を示すための上面図である。
【図１１】は、本発明の他の実施形態に係るシリンドリカルレンズの保持構造における保持部材の概略構成を示すための後面図である。
【図１２】は、本発明の他の実施形態に係るシリンドリカルレンズの保持構造における保持部材の概略構成を示すための前面図である。
【図１３】は、本発明の他の実施形態に係るシリンドリカルレンズの保持構造における保持部材の概略構成を示すための側面図である。
【図１４】は、本発明の他の実施形態に係る位置決め部材を概略的に表した前方斜視図である。
【図１５】は、本発明の他の実施形態に位置決め部材を概略的に表した後方斜視図である。
【図１６】は、本発明の他の実施形態に係るシリンドリカルレンズの保持構造を、組立後の状態として概略的に表した前方斜視図である。
【図１７】は、本発明の他の実施形態に係るシリンドリカルレンズの保持構造を、組立後の状態として概略的に表した後方斜視図である。
【符号の説明】
１      マルチビーム光源ユニット
２      マルチビーム半導体レーザ
３      コリメータレンズ
４      シリンドリカルレンズ
５      回転多面鏡
７      結像レンズ
８      回転ドラム
１０    結像レンズ
１４    光学箱
１８    前板部
１９    底板部
２０、２１、２２    加圧片
２３    開口部
２６    位置決め部材
２７、２８、２９    突起部
３０    爪部
５０    保持部材
６１    上板部
６２、６３    加圧片
６４、６５    固定用バネ部
６６    位置決め部材
７１、７２    突起部
７３、７４    固定用バネ支持部
１００    保持部材
【図１】
2004157344.tif 000003
【図２】
2004157344.tif 000004
【図３】
2004157344.tif 000005
【図４】
2004157344.tif 000006
【図５】
2004157344.tif 000007
【図６】
2004157344.tif 000008
【図７】
2004157344.tif 000009
【図８】
2004157344.tif 000010
【図９】
2004157344.tif 000011
【図１０】
2004157344.tif 000012
【図１１】
2004157344.tif 000013
【図１２】
2004157344.tif 000014
【図１３】
2004157344.tif 000015
【図１４】
2004157344.tif 000016
【図１５】
2004157344.tif 000017
【図１６】
2004157344.tif 000018
【図１７】
2004157344.tif 000019